(57)【要約】【課題】  重畳成分光及び第４色成分光が入射する特定の光変調素子の劣化を抑制することを可能とする投写型映像表示装置を提供する。【解決手段】  照明ユニット１２０は、緑成分光に重畳される黄成分光の重畳量を制御する制御部２００を備える。黄成分光は、緑成分光に対応する光変調素子である緑光変調素子５０Ｇに入射する。緑光変調素子５０Ｇは、複数の画素によって構成される。複数の画素のそれぞれには、複数の画素のそれぞれの位置に応じて、重付係数ｆＷが定められる。制御部２００は、緑成分光に対応する緑用入力信号Ｇｉｎと、重付係数ｆＷとに基づいて、黄成分光の重畳量を制御する。【選択図】  図５
2010107599.tif 000002
【特許請求の範囲】
【請求項１】
赤成分光、緑成分光、青成分光及び第４色成分光を少なくとも含む光を発する光源と、赤用入力信号に応じて前記赤成分光を変調する赤光変調素子と、緑用入力信号に応じて前記緑成分光を変調する緑光変調素子と、青用入力信号に応じて前記青成分光を変調する青光変調素子とを備えており、前記赤成分光、前記緑成分光及び前記青成分光のうち、いずれかの色成分光である重畳成分光に第４色成分光を重畳する照明装置であって、
前記重畳成分光に重畳される前記第４色成分光の重畳量を制御する制御部を備え、
前記重畳成分光及び前記第４色成分光は、前記赤光変調素子、前記緑光変調素子及び前記青光変調素子のうち、前記重畳成分光に対応する光変調素子である特定の光変調素子に入射し、
前記特定の光変調素子は、複数の画素によって構成されており、
前記複数の画素のそれぞれには、前記複数の画素のそれぞれの位置に応じて、重付係数が定められており、
前記制御部は、前記赤用入力信号、前記緑用入力信号及び前記青用入力信号のうち、前記重畳成分光に対応する特定の入力信号と、前記重付係数とに基づいて、前記第４色成分光の重畳量を制御することを特徴とする照明装置。
【請求項２】
前記特定の光変調素子は、前記重畳成分光を変調する光変調パネルと、前記光変調パネルの光入射側に設けられた入射側偏光板と、前記光変調パネルの光出射側に設けられた出射側偏光板とを有しており、
前記出射側偏光板には、前記出射側偏光板で遮光を許容する光量である許容遮光光量が定められており、
前記制御部は、前記出射側偏光板で遮光される前記重畳成分光の光量と前記出射側偏光板で遮光される前記第４色成分光の光量との合計量が前記許容遮光光量を超えないように、前記第４色成分光の重畳量を制御することを特徴とする請求項１に記載の照明装置。
【請求項３】
前記制御部は、前記出射側偏光板で遮光される前記重畳成分光の光量が大きい場合に、前記出射側偏光板に到達する前記第４色成分光の光量を小さくするように、前記第４色成分光の重畳量を制御することを特徴とする請求項２に記載の照明装置。
【請求項４】
前記第４色成分光の偏光状態を調整する偏光状態調整素子をさらに備え、
前記重畳成分光及び前記第４色成分光は、前記偏光状態調整素子に入射し、
前記偏光状態調整素子から出射された前記重畳成分光及び前記第４色成分光は、前記特定の光変調素子に入射し、
前記制御部は、前記出射側偏光板で遮光される前記重畳成分光の光量が大きい場合に、前記第４色成分光が前記入射側偏光板で遮光されるように、前記第４色成分光の偏光状態の調整量を制御することを特徴とする請求項２に記載の照明装置。
【請求項５】
前記重付係数は、前記複数の画素に照射される光量の分布に応じて定められることを特徴とする請求項１に記載の照明装置。
【請求項６】
前記重付係数は、前記複数の画素を冷却する冷却力の分布に応じて定められることを特徴とする請求項１に記載の照明装置。
【請求項７】
赤成分光、緑成分光、青成分光及び第４色成分光を少なくとも含む光を発する光源と、赤用入力信号に応じて前記赤成分光を変調する赤光変調素子と、緑用入力信号に応じて前記緑成分光を変調する緑光変調素子と、青用入力信号に応じて前記青成分光を変調する青光変調素子とを備えており、前記赤成分光、前記緑成分光及び前記青成分光のうち、いずれかの色成分光である重畳成分光に第４色成分光を重畳する照明ユニットと、
前記照明ユニットから出射される光を投写する投写ユニットとを有する投写型映像表示装置であって、
前記重畳成分光に重畳される前記第４色成分光の重畳量を制御する制御部を備え、
前記重畳成分光及び前記第４色成分光は、前記赤光変調素子、前記緑光変調素子及び前記青光変調素子のうち、前記重畳成分光に対応する光変調素子である特定の光変調素子に入射し、
前記特定の光変調素子は、複数の画素によって構成されており、
前記複数の画素のそれぞれには、前記複数の画素のそれぞれの位置に応じて、重付係数が定められており、
前記制御部は、前記赤用入力信号、前記緑用入力信号及び前記青用入力信号のうち、前記重畳成分光に対応する特定の入力信号と、前記重付係数とに基づいて、前記第４色成分光の重畳量を制御することを特徴とする投写型映像表示装置。
【発明の詳細な説明】
【技術分野】
【０００１】
本発明は、赤成分光、緑成分光及び青成分光に加えて、第４色成分光を利用する照明装置及び投写型映像表示装置に関する。
【背景技術】
【０００２】
従来、３色の光に対応する３つの光変調素子と、３つの光変調素子から出射される光を合成するクロスダイクロイックキューブを備える色分離合成光学系と、クロスダイクロイックキューブで合成された光を投写する投写手段とを有する投写型映像表示装置が知られている。
【０００３】
また、色再現性や輝度の向上を目的として、４色以上の光を利用する投写型映像表示装置が提案されている。例えば、投写型映像表示装置は、赤、緑及び青の３色に加えて、第４色成分光（オレンジ、黄又はシアン）を利用することによって、色再現性や輝度の向上を図っている（例えば、特許文献１）。
【特許文献１】特開２００２−２８７２４７号公報（請求項１、請求項４、図１など）
【発明の開示】
【発明が解決しようとする課題】
【０００４】
ところで、３色の光（赤成分光、緑成分光及び青成分光）に加えて、第４色成分光を利用する投写型映像表示装置では、３つの光変調素子のいずれかに第４色成分光を入射させることが考えられる。具体的には、第４色成分光は、３色の光のいずれかである重畳成分光に重畳される。また、第４色成分光は、３つの光変調素子のうち、重畳成分光に対応する特定の光変調素子に入射する。
【０００５】
このようなケースでは、特定の光変調素子には、重畳成分光に加えて第４色成分光が入射するため、特定の光変調素子の熱負荷が大きくなる。これによって、特定の光変調素子の劣化が進む懸念がある。
【０００６】
そこで、本発明は、上述した課題を解決するためになされたものであり、重畳成分光及び第４色成分光が入射する特定の光変調素子の劣化を抑制することを可能とする照明装置及び投写型映像表示装置を提供することを目的とする。
【課題を解決するための手段】
【０００７】
一の特徴では、照明装置（照明ユニット１２０）は、赤成分光、緑成分光、青成分光及び第４色成分光を少なくとも含む光を発する光源（光源１０）と、赤用入力信号に応じて前記赤成分光を変調する赤光変調素子（赤光変調素子５０Ｒ）と、緑用入力信号に応じて前記緑成分光を変調する緑光変調素子（緑光変調素子５０Ｇ）と、青用入力信号に応じて前記青成分光を変調する青光変調素子（青光変調素子５０Ｂ）とを備える。照明装置は、前記赤成分光、前記緑成分光及び前記青成分光のうち、いずれかの色成分光である重畳成分光に第４色成分光を重畳する。照明装置は、前記重畳成分光に重畳される前記第４色成分光の重畳量を制御する制御部（制御部２００）を備える。前記重畳成分光及び前記第４色成分光は、前記赤光変調素子、前記緑光変調素子及び前記青光変調素子のうち、前記重畳成分光に対応する光変調素子である特定の光変調素子に入射する。前記特定の光変調素子は、複数の画素によって構成される。前記複数の画素のそれぞれには、前記複数の画素のそれぞれの位置に応じて、重付係数（重付係数ｆＷ）が定められる。前記制御部は、前記赤用入力信号、前記緑用入力信号及び前記青用入力信号のうち、前記重畳成分光に対応する特定の入力信号と、前記重付係数とに基づいて、前記第４色成分光の重畳量を制御する。
【０００８】
上述した特徴において、前記特定の光変調素子は、前記重畳成分光を変調する光変調パネル（液晶パネル５１）と、前記光変調パネルの光入射側に設けられた入射側偏光板（入射側偏光板５２）と、前記光変調パネルの光出射側に設けられた出射側偏光板（出射側偏光板５３）とを有する。前記出射側偏光板には、前記出射側偏光板で遮光を許容する光量である許容遮光光量（許容遮光光量ＰＧ）が定められている。前記制御部は、前記出射側偏光板で遮光される前記重畳成分光の光量と前記出射側偏光板で遮光される前記第４色成分光の光量との合計量が前記許容遮光光量を超えないように、前記第４色成分光の重畳量を制御する。
【０００９】
上述した特徴において、前記制御部は、前記出射側偏光板で遮光される前記重畳成分光の光量が大きい場合に、前記出射側偏光板に到達する前記第４色成分光の光量を小さくするように、前記第４色成分光の重畳量を制御する。
【００１０】
上述した特徴において、照明装置は、前記第４色成分光の偏光状態を調整する偏光状態調整素子（偏光状態調整素子５０Ｙｅ）をさらに備える。前記重畳成分光及び前記第４色成分光は、前記偏光状態調整素子に入射する。前記偏光状態調整素子から出射された前記重畳成分光及び前記第４色成分光は、前記特定の光変調素子に入射する。前記制御部は、前記出射側偏光板で遮光される前記重畳成分光の光量が大きい場合に、前記第４色成分光が前記入射側偏光板で遮光されるように、前記第４色成分光の偏光状態の調整量を制御する。
【００１１】
上述した特徴において、前記重付係数は、前記複数の画素に照射される光量の分布に応じて定められる。
【００１２】
上述した特徴において、重付係数は、前記複数の画素を冷却する冷却力の分布に応じて定められる。
【００１３】
一の特徴では、投写型映像表示装置（投写型映像表示装置１００）は、照明ユニット（照明ユニット１２０）と、投写ユニット（投写レンズユニット１１０）とを備える。照明ユニットは、赤成分光、緑成分光、青成分光及び第４色成分光を少なくとも含む光を発する光源（光源１０）と、赤用入力信号に応じて前記赤成分光を変調する赤光変調素子（赤光変調素子５０Ｒ）と、緑用入力信号に応じて前記緑成分光を変調する緑光変調素子（緑光変調素子５０Ｇ）と、青用入力信号に応じて前記青成分光を変調する青光変調素子（青光変調素子５０Ｂ）とを備えており、前記赤成分光、前記緑成分光及び前記青成分光のうち、いずれかの色成分光である重畳成分光に第４色成分光を重畳する。投写ユニットは、前記照明ユニットから出射される光を投写する。投写型映像表示装置は、前記重畳成分光に重畳される前記第４色成分光の重畳量を制御する制御部（制御部２００）を備える。前記重畳成分光及び前記第４色成分光は、前記赤光変調素子、前記緑光変調素子及び前記青光変調素子のうち、前記重畳成分光に対応する光変調素子である特定の光変調素子に入射する。前記特定の光変調素子は、複数の画素によって構成される。前記複数の画素のそれぞれには、前記複数の画素のそれぞれの位置に応じて、重付係数（重付係数ｆＷ）が定められる。前記制御部は、前記赤用入力信号、前記緑用入力信号及び前記青用入力信号のうち、前記重畳成分光に対応する特定の入力信号と、前記重付係数とに基づいて、前記第４色成分光の重畳量を制御する。
【発明の効果】
【００１４】
本発明によれば、重畳成分光及び第４色成分光が入射する特定の光変調素子の劣化を抑制することを可能とする照明装置及び投写型映像表示装置を提供することができる。
【発明を実施するための最良の形態】
【００１５】
次に、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、赤成分光、緑成分光及び青成分光に加えて、黄成分光を第４色成分光として利用する照明ユニットを有する。黄成分光は、緑成分光とともに、偏光状態調整素子に入射する。偏光状態調整素子から出射された緑成分光及び黄成分光は、緑光変調素子に入射する。
【００１８】
偏光状態調整素子は、緑成分光の偏光状態を調整せずに緑成分光を透過する。一方で、偏光状態調整素子は、制御部から入力される黄成分光制御信号に応じて、黄成分光の偏光状態を調整して黄成分光を透過する。黄成分光制御信号は、偏光状態調整素子における黄成分光の偏光状態の調整量を制御する信号である。
【００１９】
照明ユニットに設けられる制御部は、緑用入力信号と重付係数とに基づいて、緑成分光に重畳される黄成分光の重畳量を制御する。具体的には、制御部は、緑用入力信号に対応する画素の位置に応じて定められる重付係数を用いて、緑光変調素子に含まれる出射側偏光板に到達する黄成分光の光量を制御する。重付係数は、画素の位置が出射側偏光板の熱負荷の高い部分に対応する場合には、小さく設定される。制御部は、出射側偏光板のうち熱負荷が高い部分が広く、熱負荷が高い部分において遮光される光量が大きい場合、すなわち、重付係数が小さく設定された画素の数が大きい場合には、偏光状態調整素子における黄成分光の偏光状態の調整量を大きくすることにより、出射側偏光板に到達する黄成分光の光量を小さくする。
【００２０】
また、制御部は、黄成分光制御係数に基づいて、緑成分光に重畳される黄成分光の重畳量を制御する。具体的には、制御部は、緑入力信号の値に応じて定められる黄成分光制御係数を用いて緑光変調素子に含まれる出射側偏光板に到達する黄成分光の光量を制御する。出射側偏光板５３Ｇで遮光される緑成分光の光量と出射側偏光板５３Ｇで遮光される黄成分光の光量との合計量が出射側偏光板５３Ｇの許容遮光光量ＰＧを超えないようにするために、黄成分光制御係数は、緑入力信号の値が小さい場合（すなわち、出射側偏光板で遮光される緑成分光の光量が大きい場合）には、小さく設定される。制御部は、黄成分光制御係数が小さく設定された画素の数が大きい場合には、偏光状態調整素子における黄成分光の偏光状態の調整量を大きくすることにより、出射側偏光板に到達する黄成分光の光量を小さくする。
【００２１】
以上の構成によれば、黄成分光の全光量のうち、従来では出射側偏光板で遮光されていた光量の一部を入射側偏光板で遮光することできる。よって、黄成分光の全光量のうち遮光される光量が入射側偏光板と出射側偏光板とに分散されるため、出射側偏光板の熱負荷を軽減することができる。その結果、緑光変調素子の劣化を抑制することができる。
【００２２】
なお、実施形態では、第４色成分光として黄成分光を例示するが、第４色成分光は、これに限定されるものではない。第４色成分光は、マゼンタ成分光またはシアン成分光であってもよい。また、実施形態では、重畳成分光として緑成分光を例示するが、重畳成分光は、これに限定されるものではない。重畳成分光は、赤成分光または青成分光であってもよい。
【００２３】
［第１実施形態］
以下において、本発明の第１実施形態に係る投写型映像表示装置について、図面を参照しながら説明する。具体的には、（１）投写型映像表示装置の構成、（２）偏光状態調整素子の機能、（３）投写型映像表示装置の機能、（４）作用・効果について説明する。
【００２４】
（１）投写型映像表示装置の構成
以下において、第１実施形態に係る投写型映像表示装置の構成について、図面を参照しながら説明する。図１は、第１実施形態に係る投写型映像表示装置１００の構成を示す図である。
【００２５】
図１に示すように、投写型映像表示装置１００は、投写レンズユニット１１０と、照明ユニット１２０とを有する。投写型映像表示装置１００は、後述するように、赤成分光、緑成分光及び青成分光に加えて、黄成分光を第４色成分光として利用する。
【００２６】
投写レンズユニット１１０は、照明ユニット１２０から出射された映像光を拡大して、スクリーン（不図示）上に映像光を投写する。
【００２７】
照明ユニット１２０は、光源１０と、ＵＶ／ＩＲカットフィルタ２０と、フライアイレンズユニット３０と、ＰＢＳアレイ４０と、複数の光変調素子５０（赤光変調素子５０Ｒ、緑光変調素子５０Ｇおよび青光変調素子５０Ｂ）と、偏光状態調整素子５０Ｙｅと、クロスダイクロイックキューブ６０と、複数のミラー群（ミラー７１〜ミラー７６）と、複数のレンズ群（レンズ８１〜レンズ８５）とを備える。
【００２８】
光源１０は、白色光を発するＵＨＰランプなどである。すなわち、光源１０が発する光は、赤成分光、緑成分光、青成分光及び黄成分光を少なくとも含む。
【００２９】
ＵＶ／ＩＲカットフィルタ２０は、可視光成分（赤成分光、緑成分光及び青成分光）を透過する。ＵＶ／ＩＲカットフィルタ２０は、赤外光成分や紫外光成分を遮光する。
【００３０】
フライアイレンズユニット３０は、光源１０が発する光を均一化する。具体的には、フライアイレンズユニット３０は、フライアイレンズ３０ａ及びフライアイレンズ３０ｂによって構成される。フライアイレンズ３０ａ及びフライアイレンズ３０ｂは、それぞれ、複数の微少レンズによって構成される。各微少レンズは、光源１０が発する光が液晶パネル５０の全面に照射されるように、光源１０が発する光を集光する。
【００３１】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３２】
赤光変調素子５０Ｒは、液晶パネル５１Ｒと、入射側偏光板５２Ｒと、出射側偏光板５３Ｒとを有する。液晶パネル５１Ｒは、後述する赤用出力信号Ｒｏｕｔに従って赤成分光の偏光状態を調整することによって赤成分光を変調する。入射側偏光板５２Ｒは、液晶パネル５１Ｒに光が入射する側に設けられ、一の偏光方向を有する光（例えば、Ｐ偏光）を透過して、他の偏光方向を有する光（例えば、Ｓ偏光）を遮光する。出射側偏光板５３Ｒは、液晶パネル５１Ｒから光が出射する側に設けられ、他の偏光方向を有する光（例えば、Ｓ偏光）を透過して、一の偏光方向を有する光（例えば、Ｐ偏光）を遮光する。液晶パネル５１Ｒは、複数の画素によって構成される。
【００３３】
同様に、緑光変調素子５０Ｇは、液晶パネル５１Ｇと、入射側偏光板５２Ｇと、出射側偏光板５３Ｇとを有する。液晶パネル５１Ｇは、後述する緑用出力信号Ｇｏｕｔ（図４参照）に従って緑成分光及び黄成分光の偏光状態を調整することによって緑成分光及び黄成分光を変調する。入射側偏光板５２Ｇは、液晶パネル５１Ｇに光が入射する側に設けられ、一の偏光方向を有する光を透過して、他の偏光方向を有する光を遮光する。出射側偏光板５３Ｇは、液晶パネル５１Ｇから光が出射する側に設けられ、他の偏光方向を有する光を透過して、一の偏光方向を有する光を遮光する。液晶パネル５１Ｇは、複数の画素によって構成される。複数の画素のそれぞれには、複数の画素のそれぞれの位置に応じて、重付係数ｆＷが定められる。重付係数ｆＷは、出射側偏光板５３Ｇに到達する黄成分光の光量を制御するために用いられる係数の一つである。重付係数ｆＷについては後に詳述する（図５，６参照）。
【００３４】
出射側偏光板５３Ｇには、出射側偏光板５３Ｇで遮光を許容する光量である許容遮光光量ＰＧが定められている。許容遮光光量ＰＧは、入射側偏光板５２Ｇを透過して出射側偏光板５３Ｇに到達する緑成分光の光量の最大値よりも大きく設定される。
【００３５】
青光変調素子５０Ｂは、液晶パネル５１Ｂと、入射側偏光板５２Ｂと、出射側偏光板５３Ｂとを有する。液晶パネル５０Ｂは、後述する青用出力信号Ｂｏｕｔに従って青成分光の偏光状態を調整することによって青成分光を変調する。入射側偏光板５２Ｂは、液晶パネル５０Ｂに光が入射する側に設けられ、一の偏光方向を有する光を透過して、他の偏光方向を有する光を遮光する。出射側偏光板５３Ｂは、液晶パネル５０Ｂから光が出射する側に設けられ、他の偏光方向を有する光を透過して、一の偏光方向を有する光を遮光する。液晶パネル５１Ｂは、複数の画素によって構成される。
【００３６】
ここで、各光変調素子５０には、コントラスト比や透過率を向上させる補償板が設けられていてもよい。また、各入射側偏光板５２（入射側偏光板５２Ｒ、入射側偏光板５２Ｇおよび入射側偏光板５２Ｂ）および各出射側偏光板（出射側偏光板５３Ｒ、出射側偏光板５３Ｇおよび出射側偏光板５３Ｂ）は、偏光板に入射する光の光量や熱負担を軽減させるプリ偏光板を有していてもよい。
【００３７】
偏光状態調整素子５０Ｙｅは、黄成分光の偏光状態を調整することによって黄成分光を変調する。一方で、偏光状態調整素子５０Ｙｅは、緑成分光の偏光状態を調整せずに緑成分光を透過する。
【００３８】
具体的には、偏光状態調整素子５０Ｙｅは、自素子に入射した直線偏光の偏光状態を調整可能な素子である。偏光状態調整素子５０Ｙｅにおける黄成分光の偏光状態の調整量は、黄成分光制御信号（以下、Ｙｅ制御信号）ＹｅＣによって制御される。Ｙｅ制御信号ＹｅＣは、偏光状態調整素子５０Ｙｅにおける黄成分光の偏光状態の調整量を指示する信号であり、例えば８ビットの値が用いられる。Ｙｅ制御信号ＹｅＣについては、後に詳述する（図４参照）。
【００３９】
ここで、偏光状態調整素子５０Ｙｅから出射された黄成分光及び緑成分光は、偏光状態調整素子５０Ｙｅの光出射側に設けられた入射側偏光板５２Ｇに照射される。上述したように、入射側偏光板５２Ｇは、一の偏光方向を有する光（例えば、Ｓ偏光）を透過して、他の偏光方向を有する光（例えば、Ｐ偏光）を遮光する。そのため、偏光状態調整素子５０Ｙｅによる黄成分光の偏光状態の調整によって、入射側偏光板５２Ｇを透過する黄成分光の光量が制御される。従って、偏光状態調整素子５０Ｙｅが黄成分光の偏光方向を調整するか否かによって、出射側偏光板５３Ｇに到達する黄成分光の光量が制御される。
【００４０】
偏光状態調整素子５０Ｙｅとしては、ノッチフィルタタイプの素子とエッジフィルタタイプの素子とが考えられる。
【００４１】
ノッチフィルタタイプの素子は、特定波長帯域を有する光の偏光状態のみを調整することが可能である。例えば、ノッチフィルタタイプの素子は、緑よりも長波長帯域、すなわち、黄色の波長帯域を有する光の偏光状態のみを調整する。ノッチフィルタタイプの素子を用いることによって、不要光（例えば、黄成分光）を削減することが可能である。
【００４２】
エッジフィルタタイプの素子は、特定波長帯域を有する光の偏光状態を調整せずに、他の波長帯域を有する光の偏光状態を調整することが可能である。例えば、エッジフィルタタイプの素子は、緑の波長帯域を有する光の偏光状態を調整せずに、緑よりも長波長帯域及び短波長帯域を有する光の偏光状態を調整する。エッジフィルタタイプの素子を用いることによって、特定波長帯域を有する光（例えば、緑成分光）の色純度を高めることが可能である。
【００４３】
なお、偏光状態調整素子５０Ｙｅの機能については、後に詳述する（図２，３等参照）。
【００４４】
クロスダイクロイックキューブ６０は、赤光変調素子５０Ｒ、緑光変調素子５０Ｇおよび青光変調素子５０Ｂから出射される光を合成する。すなわち、クロスダイクロイックキューブ６０は、赤光変調素子５０Ｒから出射される赤成分光、緑光変調素子５０Ｇから出射される緑成分光及び黄成分光、及び、青光変調素子５０Ｂから出射される青成分光を合成する。また、クロスダイクロイックキューブ６０は、赤成分光、緑成分光、青成分光及び黄成分光を含む合成光（映像光）を投写レンズユニット１１０側に出射する。
【００４５】
ミラー７１は、赤成分光、緑成分光、青成分光及び黄成分光を反射するミラーである。ミラー７２は、赤成分光、緑成分光及び黄成分光を反射して、青成分光を透過するダイクロイックミラーである。ミラー７３は、緑成分光及び黄成分光を反射して、赤成分光を透過するダイクロイックミラーである。ミラー７４は、青成分光を反射して青光変調素子５０Ｂ側に青成分光を導くミラーである。ミラー７５及びミラー７６は、赤成分光を反射して赤光変調素子５０Ｒ側に赤成分光を導くミラーである。
【００４６】
レンズ８１は、ＰＢＳアレイ４０から出射された光を集光するコンデンサレンズである。レンズ８２は、ミラー７１で反射された光を集光するコンデンサレンズである。レンズ８３Ｒは、赤光変調素子５０Ｒに赤成分光が照射されるように、赤成分光を略平行光化する。レンズ８３Ｇは、緑光変調素子５０Ｇに緑成分光が照射されるように、緑成分光を略平行光化する。レンズ８３Ｂは、青光変調素子５０Ｂに青成分光が照射されるように、青成分光を略平行光化する。リレーレンズ８４及びリレーレンズ８５は、赤成分光の拡大を抑制しながら、赤光変調素子５０Ｒ上に赤成分光を略結像する。
【００４７】
（２）偏光状態調整素子の機能
以下において、第１実施形態に係る偏光状態調整素子の機能について、図面を参照しながら説明する。図２および図３は、第１実施形態に係る偏光状態調整素子（偏光状態調整素子５０Ｙｅ）近傍の拡大図である。
【００４８】
図２および図３では、ＰＢＳアレイ４０によって色成分光がＳ偏光に揃えられているケースについて例示する。また、図２および図３では、入射側偏光板５２Ｇが、Ｓ偏光を有する光を透過してＰ偏光を有する光を遮光するケースについて例示する。
【００４９】
図２は、偏光状態調整素子５０Ｙｅが、黄成分光の偏光状態を調整しない場合について示す図である。この場合、図２に示すように、偏光状態調整素子５０Ｙｅから出射される黄成分光は、Ｓ偏光を有している。従って、偏光状態調整素子５０Ｙｅから出射される黄成分光は、入射側偏光板５２Ｇを透過する。
【００５０】
図３は、偏光状態調整素子５０Ｙｅが、黄成分光の偏光状態を調整する場合について示す図である。なお、図３では、偏光状態調整素子５０Ｙｅが、黄成分光の偏光状態を９０°回転させる場合について例示する。この場合、図３に示すように、偏光状態調整素子５０Ｙｅから出射される黄成分光は、Ｐ偏光を有している。従って、偏光状態調整素子５０Ｙｅから出射される黄成分光は、入射側偏光板５２Ｇで遮光される。
【００５１】
偏光状態調整素子５０Ｙｅは、入力されるＹｅ制御信号ＹｅＣの値が大きい場合に、黄成分光の偏光方向の調整量を小さくすることにより、入射側偏光板５２Ｇで遮光される黄成分光の光量を小さくし、入射側偏光板５２Ｇを透過して出射側偏光板５３Ｇに到達する黄成分光の光量を大きくする。一方、偏光状態調整素子５０Ｙｅは、入力されるＹｅ制御信号ＹｅＣの値が小さい場合に、黄成分光の偏光方向の調整量を大きくすることにより、入射側偏光板５２Ｇで遮光される黄成分光の光量を大きくし、入射側偏光板５２Ｇを透過して出射側偏光板５３Ｇに到達する黄成分光の光量を小さくする。
【００５２】
なお、上記の例では、ＰＢＳアレイ４０によって色成分光がＳ偏光に揃えられているケースにおいて、入射側偏光板５２Ｇが、Ｓ偏光を有する光を透過してＰ偏光を有する光を遮光するケースについて説明したが、本発明はこれに限るものではない。例えば、ＰＢＳアレイ４０によって色成分光がＰ偏光に揃えられてもよい。この場合には、入射側偏光板５２Ｇとして、Ｐ偏光を有する光を透過してＳ偏光を有する光を遮光する偏光板を用いることが好ましい。
【００５３】
（３）投写型映像表示装置の機能
以下において、第１実施形態に係る投写型映像表示装置の機能について、図面を参照しながら説明する。
【００５４】
（３．１）制御部の概略構成
図４は、第１実施形態に係る投写型映像表示装置１００の機能を示すブロック図である。図４に示すように、投写型映像表示装置１００の照明ユニット１２０は、信号受付部２１０と、基準信号生成部２２０と、係数特定部２３０と、補正信号生成部２４０と、制御信号生成部２５０と、調整信号生成部２６０と、出力部２７０とを含む制御部２００を備える。制御部２００は、緑成分光に重畳される黄成分光の重畳量を制御する。
【００５５】
信号受付部２１０は、映像入力信号を受付ける。例えば、信号受付部２１０は、映像入力信号から色信号を分離する色分離ブロックから各色信号（赤用入力信号Ｒｉｎ、緑用入力信号Ｇｉｎおよび青用入力信号Ｂｉｎ）を取得する。信号受付部２１０は、赤用入力信号Ｒｉｎ、緑用入力信号Ｇｉｎおよび青用入力信号Ｂｉｎを調整信号生成部２６０に入力する。信号受付部２１０は、緑用入力信号Ｇｉｎを係数特定部２３０に入力する。なお、赤用入力信号Ｒｉｎ、緑用入力信号Ｇｉｎおよび青用入力信号Ｂｉｎには、信号受付部２１０に入力される前に逆γ補正が加えられている。
【００５６】
信号受付部２１０は、モード選択信号Ｍを受付ける。モード選択信号Ｍは、輝度を優先するケースにおいて選択される輝度優先モード、あるいは、色再現性を優先するケースにおいて選択される色再現優先モードのいずれかを示す。信号受付部２１０は、モード選択信号Ｍを基準信号生成部２２０に入力する。
【００５７】
基準信号生成部２２０は、黄成分光基準信号（以下、Ｙｅ基準信号）Ｙｅ１を生成する。Ｙｅ基準信号Ｙｅ１は、偏光状態調整素子５０Ｙｅにおける黄成分光の偏光状態の調整量を指示するＹｅ制御信号ＹｅＣを生成するために用いられる信号である。Ｙｅ制御信号ＹｅＣの値は、Ｙｅ基準信号Ｙｅ１の値と所定の係数とを用いて算出される。Ｙｅ制御信号ＹｅＣの値の算出方法については後に詳述する。
【００５８】
第１実施形態では、基準信号生成部２２０は、モード選択信号Ｍに基づいて、Ｙｅ基準信号Ｙｅ１の値を決定する。基準信号生成部２２０は、モード選択信号Ｍが輝度優先モードを示す場合、Ｙｅ基準信号Ｙｅ１の値を、Ｙｅ基準信号Ｙｅ１の値が取り得る最大値に決定する。また、基準信号生成部２２０は、モード選択信号Ｍが色再現優先モードを示す場合、Ｙｅ基準信号Ｙｅ１の値を、Ｙｅ基準信号Ｙｅ１の値が取り得る最小値に決定する。
【００５９】
例えば、Ｙｅ基準信号Ｙｅ１として８ビットの値が用いられる場合には、基準信号生成部２２０は、次のようにＹｅ基準信号Ｙｅ１の値を決定する。すなわち、基準信号生成部２２０は、モード選択信号Ｍが輝度優先モードを示す場合、Ｙｅ基準信号Ｙｅ１の値を２５５とする。また、基準信号生成部２２０は、モード選択信号Ｍが色再現優先モードを示す場合、Ｙｅ基準信号Ｙｅ１の値を０とする。
【００６０】
基準信号生成部２２０は、Ｙｅ基準信号Ｙｅ１を複数の画素のそれぞれについて生成する。基準信号生成部２２０は、生成されたＹｅ基準信号Ｙｅ１を制御信号生成部２５０に入力する。
【００６１】
係数特定部２３０は、Ｙｅ制御信号ＹｅＣの値を算出するために用いられる係数を特定する。係数特定部２３０は、重付係数特定部２３１と、重畳量制御係数特定部２３２とを有する。
【００６２】
重付係数特定部２３１は、Ｙｅ制御信号ＹｅＣの値を算出するために用いられる第１の係数である重付係数ｆＷを特定する。重付係数ｆＷは、出射側偏光板５３Ｇの熱負荷の分布を、黄成分光の重畳量に反映させるための係数である。重付係数ｆＷは、複数の画素のそれぞれについて、複数の画素のそれぞれの位置に応じて予め設定される。重付係数ｆＷの特定方法については後に詳述する。重付係数特定部２３１は、特定された重付係数ｆＷを補正信号生成部２４０に入力する。
【００６３】
重畳量制御係数特定部２３２は、Ｙｅ制御信号ＹｅＣの値を算出するために用いられる第２の係数であるＹｅ重畳量制御係数ｆＣを、緑用入力信号Ｇｉｎの値に基づいて特定する。Ｙｅ重畳量制御係数ｆＣは、輝度優先モードにおいて、出射側偏光板５３Ｇで遮光される緑成分光の光量と出射側偏光板５３Ｇで遮光される黄成分光の光量との合計量が、出射側偏光板５３Ｇの許容遮光光量ＰＧを超えないように、黄成分光の重畳量を制御するための係数である。Ｙｅ重畳量制御係数ｆＣは、０＜ｆＣ≦１の範囲で、フレーム（映像表示面）単位で設定される。Ｙｅ重畳量制御係数ｆＣは、緑用入力信号Ｇｉｎの値が小さい場合、すなわち出射側偏光板５３Ｇの熱負荷が大きい場合には小さく設定され、緑用入力信号Ｇｉｎの値が大きい場合、すなわち出射側偏光板５３Ｇの熱負荷が小さい場合には大きく設定される。重畳量制御係数特定部２３２は、特定されたＹｅ重畳量制御係数ｆＣを制御信号生成部２５０に入力する。
【００６４】
補正信号生成部２４０は、重付係数特定部２３１により特定された重付係数ｆＷを用いて、Ｙｅ基準信号Ｙｅ１を補正する。
【００６５】
具体的には、以下の式に示すように、Ｙｅ基準信号Ｙｅ１の値に重付係数ｆＷを乗算することにより、Ｙｅ基準信号Ｙｅ１の値からＹｅ補正信号Ｙｅ２の値を生成する。なお、Ｙｅ補正信号Ｙｅ２は、画素単位で生成される。
【００６６】
Ｙｅ２＝Ｙｅ１×ｆＷ
【００６７】
補正信号生成部２４０は、画素ごとに生成されたＹｅ補正信号Ｙｅ２の値を、制御信号生成部２５０に入力する。
【００６８】
制御信号生成部２５０は、補正信号生成部２４０によって画素ごとに生成されたＹｅ補正信号Ｙｅ２の値と、重畳量制御係数特定部２３２により特定されたＹｅ重畳量制御係数ｆＣとに基づいて、偏光状態調整素子５０Ｙｅにおける黄成分光の偏光状態の調整量を指示するＹｅ制御信号ＹｅＣを生成する。具体的には、制御信号生成部２５０は、画素ごとのＹｅ補正信号Ｙｅ２の値の平均値に、Ｙｅ重畳量制御係数ｆＣを乗算することにより算出される値を、Ｙｅ制御信号ＹｅＣの値として算出する。
【００６９】
詳述すると、まず、制御信号生成部２５０は、複数の画素のそれぞれについて算出されたＹｅ補正信号Ｙｅ２の値の合計値を、複数の画素の総数で除することにより、Ｙｅ補正信号Ｙｅ２の値の平均値であるＹｅ補正信号平均値Ｙｅ２ａｖｅを算出する。次に、制御信号生成部２５０は、算出されたＹｅ補正信号平均値Ｙｅ２ａｖｅに、Ｙｅ重畳量制御係数ｆＣを乗算することにより、Ｙｅ制御信号ＹｅＣの値を算出する。つまり、Ｙｅ制御信号ＹｅＣの値は、以下の式により算出される。
【００７０】
ＹｅＣ＝（ΣＹｅ２／Ｎ）×ｆＣ＝Ｙｅ２ａｖｅ×ｆＣ
【００７１】
上記の式において、ΣＹｅ２は、複数の画素のそれぞれについて算出されたＹｅ補正信号Ｙｅ２の値を合計することを示す。また、Ｎは、複数の画素の総数を示す。
【００７２】
Ｙｅ制御信号ＹｅＣの値が大きい場合には、偏光状態調整素子５０Ｙｅにおける黄成分光の偏光方向の調整量が小さくなるため、入射側偏光板５２Ｇを透過して出射側偏光板５３Ｇに到達する黄成分光の光量が大きくなる。一方、Ｙｅ制御信号ＹｅＣの値が小さい場合には、偏光状態調整素子５０Ｙｅにおける黄成分光の偏光方向の調整量が大きくなるため、入射側偏光板５２Ｇを透過して出射側偏光板５３Ｇに到達する黄成分光の光量が小さくなる。
【００７３】
制御信号生成部２５０は、生成されたＹｅ制御信号ＹｅＣを調整信号生成部２６０および出力部２７０に入力する。
【００７４】
調整信号生成部２６０は、赤用入力信号Ｒｉｎ、緑用入力信号Ｇｉｎ、青用入力信号ＢｉｎおよびＹｅ制御信号ＹｅＣに基づいてＲＧ減算処理やＢ加算処理などを行うことにより、赤調整信号Ｒａｄｊ、緑調整信号Ｇａｄｊおよび青調整信号Ｂａｄｊを生成する。調整信号生成部２６０は、赤調整信号Ｒａｄｊ、緑調整信号Ｇａｄｊおよび青調整信号Ｂａｄｊを出力部に入力する。
【００７５】
出力部２７０は、赤用出力信号Ｒｏｕｔ、緑用出力信号Ｇｏｕｔ、および青用出力信号Ｂｏｕｔを各光変調素子５０に出力する。具体的には、出力部２７０は、赤調整信号Ｒａｄｊを赤用出力信号Ｒｏｕｔとして赤光変調素子５０Ｒに出力する。同様に、出力部２７０は、緑調整信号Ｇａｄｊを緑用出力信号Ｇｏｕｔとして緑光変調素子５０Ｇに出力する。同様に、出力部２７０は、青調整信号Ｂａｄｊを青用出力信号Ｂｏｕｔとして青光変調素子５０Ｂに出力する。また、出力部２７０は、Ｙｅ制御信号ＹｅＣを偏光状態調整素子５０Ｙｅに出力する。
【００７６】
なお、赤用出力信号Ｒｏｕｔ、緑用出力信号Ｇｏｕｔ、青用出力信号Ｂｏｕｔには、各光変調素子に入力される前にγ補正が加えられてもよい。同様に、Ｙｅ制御信号ＹｅＣには、偏光状態調整素子５０Ｙｅに入力される前にγ補正が加えられてもよい。
【００７７】
（３．２）重付係数ｆＷの特定方法
重付係数ｆＷは、輝度優先モードにおいて、出射側偏光板５３Ｇの熱負荷の分布を、黄成分光の重畳量に反映させるための係数である。具体的には、重付係数ｆＷは、出射側偏光板５３Ｇのうち熱負荷が高い部分において遮光される光量が大きい場合には、出射側偏光板５３Ｇで遮光される光量（すなわち、出射側偏光板５３Ｇで遮光される緑成分光の光量と出射側偏光板５３Ｇで遮光される黄成分光の光量との合計量）を小さくし、出射側偏光板５３Ｇのうち熱負荷が高い部分において遮光される光量が小さい場合には、出射側偏光板５３Ｇ全体で遮光される光量を大きくするための係数である。
【００７８】
重付係数ｆＷは、複数の画素のそれぞれについて、複数の画素のそれぞれの位置に応じて予め設定される。具体的には、画素の位置が、出射側偏光板５３Ｇの熱負荷が高い部分に対応する場合には、重付係数ｆＷは小さく設定される。一方、画素の位置が、出射側偏光板５３Ｇの熱負荷が低い部分に対応する場合には、重付係数ｆＷは大きく設定される。
【００７９】
従って、出射側偏光板５３Ｇのうち熱負荷が高い部分が広く、熱負荷が高い部分において遮光される光量が大きい場合には、重付係数ｆＷが小さく設定される画素の数が大きくなるため、Ｙｅ制御信号ＹｅＣの値が小さくなる。これにより、偏光状態調整素子５０Ｙｅにおける黄成分光の偏光方向の調整量が大きくなるため、入射側偏光板５２Ｇを透過して出射側偏光板５３Ｇに到達する黄成分光の光量が小さくなる。一方、出射側偏光板５３Ｇのうち熱負荷が高い部分が狭く、熱負荷が高い部分において遮光される光量が小さい場合には、重付係数ｆＷが大きく設定される画素の数が大きくなるため、Ｙｅ制御信号ＹｅＣの値が大きくなる。これにより、偏光状態調整素子５０Ｙｅにおける黄成分光の偏光方向の調整量が小さくなるため、入射側偏光板５２Ｇを透過して出射側偏光板５３Ｇに到達する黄成分光の光量が大きくなる。
【００８０】
以下において、図５および図６を参照して、複数の画素のそれぞれに重付係数ｆＷを設定する方法について説明する。図５および図６は、重付係数特定部２３１が重付係数ｆＷを特定するために参照する図である。
【００８１】
まず、図５を参照して、出射側偏光板５３Ｇの熱負荷の分布が、複数の画素に照射される光量の分布に応じて定められる場合について説明する。
【００８２】
図５は、出射側偏光板５３Ｇにおける各画素の位置と、各画素に設定される重付係数ｆＷとの関係を示す図である。図５に示すように、出射側偏光板５３Ｇは、複数の画素に照射される光量の分布に応じて複数の領域Ａ〜Ｅに分割される。
【００８３】
一般的に、画素に照射される光量は、画素の位置が出射側偏光板５３Ｇの中央部分の領域Ｅから周辺部分の領域Ａに近づくにつれて小さくなる。そのため、熱負荷は、画素の位置が出射側偏光板５３Ｇの周辺部分の領域Ａから中央部分の領域Ｅに近づくにつれて高くなる。従って、重付係数ｆＷを、出射側偏光板５３Ｇの周辺部分の領域Ａから中央部分の領域Ｅに近づくにつれて小さくなるように設定する。
【００８４】
次に、図６を参照して、出射側偏光板５３Ｇの熱負荷の分布が、出射側偏光板５３Ｇの冷却力の分布に応じて定められる場合について説明する。
【００８５】
図６は、出射側偏光板５３Ｇにおける各画素の位置と、各画素に設定される重付係数ｆＷとの関係を示す図である。なお、図６では、出射側偏光板５３Ｇを、出射側偏光板５３Ｇの上部から空冷などにより冷却する場合について示している。
【００８６】
図６に示すように、出射側偏光板５３Ｇは、出射側偏光板５３Ｇの冷却力の分布に応じて複数の領域Ａ〜Ｅに分割される。
【００８７】
出射側偏光板５３Ｇを出射側偏光板５３Ｇの上部から冷却する場合、出射側偏光板５３Ｇの冷却力は、出射側偏光板５３Ｇの中央上部の領域Ａから周辺部分の領域Ｅに近付くにつれて小さくなる。そのため、熱負荷は、画素の位置が出射側偏光板５３Ｇの中央上部の領域Ａから周辺部分の領域Ｅに近づくにつれて高くなる。従って、重付係数ｆＷを、出射側偏光板５３Ｇの中央上部の領域Ａから周辺部分の領域Ｅに近づくにつれて小さくなるように設定する。
【００８８】
重付係数特定部２３１は、図５あるいは図６を参照して、複数の画素のそれぞれについて、複数の画素のそれぞれの位置に対応する重付係数ｆＷを特定する。
【００８９】
図５あるいは図６に示すように重付係数ｆＷを設定することによって、熱負荷が高い領域（領域Ｄ，Ｅなど）が広い場合には、重付係数ｆＷが小さく設定される画素の数が大きくなるため、Ｙｅ制御信号ＹｅＣの値が小さくなる。そのため、出射側偏光板５３Ｇのうち熱負荷が高い部分において遮光される光量が大きい場合に、出射側偏光板５３Ｇに到達する黄成分光の光量を小さくすることができる。従って、出射側偏光板５３Ｇで遮光される光量を小さくすることができるため、出射側偏光板５３Ｇの熱負荷を軽減することができる。
【００９０】
一方、熱負荷が低い領域（領域Ａ，Ｂなど）が広い場合には、重付係数ｆＷが大きく設定される画素の数が大きくなるため、Ｙｅ制御信号ＹｅＣの値が大きくなる。そのため、出射側偏光板５３Ｇのうち熱負荷が高い部分において遮光される光量が小さい場合に、出射側偏光板５３Ｇに到達する黄成分光の光量を大きくすることができる。従って、出射側偏光板５３Ｇの熱負荷が低い場合には、映像の輝度を高めることができる。
【００９１】
（３．３）Ｙｅ重畳量制御係数ｆＣの特定方法の変形例
上述した（３．１）では、Ｙｅ重畳量制御係数ｆＣが、緑用入力信号Ｇｉｎの値に基づいて特定される場合について説明したが、これに限るものではない。Ｙｅ重畳量制御係数ｆＣは、画素の位置に応じて定められる重付係数ｆＷによって重み付けされた緑用入力信号Ｇｉｎの値の平均値である緑用入力信号重付平均値（以下、Ｇ信号重付平均値）Ｇｗａｖｅに応じて特定されてもよい。以下において、Ｇ信号重付平均値Ｇｗａｖｅを用いたＹｅ重畳量制御係数ｆＣの特定方法について説明する。
【００９２】
まず、Ｇ信号重付平均値Ｇｗａｖｅは、次の式により算出される。
【００９３】
Ｇｗａｖｅ＝｛Σ（Ｇｉｎ×ｆＷ）｝／Ｎ
【００９４】
上記の式において、｛Σ（Ｇｉｎ×ｆＷ）｝は、複数の画素のそれぞれについて、緑用入力信号Ｇｉｎの値と重付係数ｆＷとの積を算出し、算出された積のそれぞれを合計することを示す。また、Ｎは、複数の画素の総数を示す。
【００９５】
Ｙｅ重畳量制御係数ｆＣは、Ｇ信号重付平均値Ｇｗａｖｅが大きい場合には大きく設定され、Ｇ信号重付平均値Ｇｗａｖｅが小さい場合には小さく設定される。
【００９６】
ここで、出射側偏光板５３Ｇのうち熱負荷が高い部分が狭い場合や、熱負荷が高い部分において遮光される光量が小さい場合など、出射側偏光板５３Ｇの熱負荷が小さい場合には、緑用入力信号Ｇｉｎの値や重付係数ｆＷが大きくなるため、Ｇ信号重付平均値Ｇｗａｖｅは大きくなる。一方、出射側偏光板５３Ｇのうち熱負荷が高い部分が広い場合や、熱負荷が高い部分において遮光される光量が大きい場合など、出射側偏光板５３Ｇの熱負荷が大きい場合には、緑用入力信号Ｇｉｎの値や重付係数ｆＷが小さくなるため、Ｇ信号重付平均値Ｇｗａｖｅは小さくなる。従って、Ｙｅ重畳量制御係数ｆＣは、出射側偏光板５３Ｇの熱負荷が小さく、Ｇ信号重付平均値Ｇｗａｖｅが大きい場合には大きく設定され、出射側偏光板５３Ｇの熱負荷が大きく、Ｇ信号重付平均値Ｇｗａｖｅが小さい場合には小さく設定される。
【００９７】
Ｙｅ重畳量制御係数ｆＣは、Ｇ信号重付平均値Ｇｗａｖｅが小さく、出射側偏光板５３Ｇの許容遮光光量ＰＧと出射側偏光板５３Ｇで遮光される緑成分光の光量との差分が小さい場合に、出射側偏光板５３Ｇに到達する黄成分光の光量が当該差分の範囲内に収まるように小さく設定される。以上のように、Ｇ信号重付平均値Ｇｗａｖｅを用いることによって、出射側偏光板５３Ｇの熱負荷を考慮してＹｅ重畳量制御係数ｆＣを特定することができる。
【００９８】
以下において、図７を参照して、Ｇ信号重付平均値Ｇｗａｖｅを用いたＹｅ重畳量制御係数ｆＣの特定方法の一例について説明する。図７は、Ｇ信号重付平均値ＧｗａｖｅとＹｅ重畳量制御係数ｆＣとの関係を示す図である。図７においては、Ｇ信号重付平均値Ｇｗａｖｅとして８ビットの値を用いる場合について示している。この場合、Ｇ信号重付平均値Ｇｗａｖｅが０に近いほど、出射側偏光板５３Ｇの熱負荷が大きいことを示す。また、Ｇ信号重付平均値Ｇｗａｖｅが２５５に近いほど、出射側偏光板５３Ｇの熱負荷が小さいことを示す。また、図７においては、重付係数ｆＷが、０＜ｆＷ≦１の範囲内で設定される場合について説明する。
【００９９】
図７に示すように、Ｙｅ重畳量制御係数ｆＣは、Ｇ信号重付平均値ＧｗａｖｅがＢ以上、２５５以下である場合には１である。一方、Ｙｅ重畳量制御係数ｆＣは、Ｇ信号重付平均値ＧｗａｖｅがＢ以下である場合には、Ｇ信号重付平均値Ｇｗａｖｅの減少に応じて減少する。よって、Ｙｅ補正信号Ｙｅ２の値は、Ｇ信号重付平均値ＧｗａｖｅがＢ以上、２５５以下である場合には一定であり、Ｇ信号重付平均値ＧｗａｖｅがＢ以下である場合には、Ｇ信号重付平均値Ｇｗａｖｅの減少に応じて減少する。
【０１００】
従って、Ｇ信号重付平均値ＧｗａｖｅがＢ以下である場合、Ｙｅ制御信号ＹｅＣの値が小さくなる。これにより、偏光状態調整素子５０Ｙｅにおける黄成分光の偏光方向の調整量が大きくなるため、入射側偏光板５２Ｇを透過して出射側偏光板５３Ｇに到達する黄成分光の光量が小さくなる。一方、Ｇ信号重付平均値ＧｗａｖｅがＢ以上である場合、Ｙｅ制御信号ＹｅＣの値が大きくなる。これにより、偏光状態調整素子５０Ｙｅにおける黄成分光の偏光方向の調整量が小さくなるため、入射側偏光板５２Ｇを透過して出射側偏光板５３Ｇに到達する黄成分光の光量が大きくなる。
【０１０１】
次に、図７におけるＡ点およびＢ点の算出方法の一例について説明する。なお、以下において、ＰＧは許容遮光光量、ＬＧｍａｘは緑成分光の最大光量、ＬＹｅｍａｘは黄成分光の最大光量を示す。緑成分光の最大光量ＬＧｍａｘは、偏光状態調整素子５０Ｙｅに入射する緑成分光の光量を示す。また、黄成分光の最大光量ＬＹｅｍａｘは、偏光状態調整素子５０Ｙｅに入射する黄成分光の光量を示す。
【０１０２】
第１に、Ａ点について説明する。Ａ点は、Ｇ信号重付平均値Ｇｗａｖｅが０である場合におけるＹｅ重畳量制御係数ｆＣの値を示す。
【０１０３】
Ｇ信号重付平均値Ｇｗａｖｅが０である場合、緑用入力信号Ｇｉｎの値は全て０である。従って、Ｇ信号重付平均値Ｇｗａｖｅが０である場合、出射側偏光板５３Ｇで遮光される光量の最大値Ｌ’は、出射側偏光板５３Ｇに到達する緑成分光の光量ＬＧ’と、出射側偏光板５３Ｇに到達する黄成分光の光量ＬＹｅ’との合計量に等しい。
【０１０４】
出射側偏光板５３Ｇに到達する緑成分光の光量ＬＧ’は、緑成分光の最大光量ＬＧｍａｘに等しい。一方、出射側偏光板５３Ｇに到達する黄成分光の光量ＬＹｅ’は、次の式で算出される。
【０１０５】
ＬＹｅ’＝ＬＹｅｍａｘ×ｆＣ
【０１０６】
従って、Ｇ信号重付平均値Ｇｗａｖｅが０である場合、出射側偏光板５３Ｇで遮光される光量の最大値Ｌ’は、以下の式で算出される。
【０１０７】
Ｌ’＝ＬＧｍａｘ＋ＬＹｅｍａｘ×ｆＣ
【０１０８】
Ａ点は、Ｇ信号重付平均値Ｇｗａｖｅが０である場合において、出射側偏光板５３Ｇで遮光される光量が、出射側偏光板５３Ｇの許容遮光光量ＰＧに等しくなるように設定される。すなわち、Ａ点は、出射側偏光板５３Ｇに到達する緑成分光の光量ＬＧ’と、出射側偏光板５３Ｇに到達する黄成分光の光量ＬＹｅ’との合計量が、出射側偏光板５３Ｇの許容遮光光量ＰＧに等しくなるように設定される。従って、Ａ点は、次の式により算出される。
【０１０９】
Ｌ’＝ＰＧ＝ＬＧｍａｘ＋ＬＹｅｍａｘ×ｆＣ
⇔ＰＧ＝ＬＧｍａｘ＋ＬＹｅｍａｘ×Ａ
⇔Ａ＝（ＰＧ−ＬＧｍａｘ）／ＬＹｅｍａｘ
【０１１０】
第２に、Ｂ点について説明する。Ｂ点は、Ｙｅ重畳量制御係数ｆＣを１とすることができる場合におけるＧ信号重付平均値Ｇｗａｖｅの範囲の最小値を示す。
【０１１１】
Ｇ信号重付平均値ＧｗａｖｅがＢである場合における、出射側偏光板５３Ｇで遮光される光量の最大値Ｌ’は、以下の式で算出される。このとき、重付係数ｆＷは１であることに留意すべきである。
【０１１２】
Ｌ’＝（ＬＧｍａｘ−ＬＧｍａｘ×Ｂ／２５５）＋（ＬＹｅｍａｘ−ＬＹｅｍａｘ×ｆＣ×Ｂ／２５５）
【０１１３】
Ｂ点は、Ｇ信号重付平均値ＧｗａｖｅがＢである場合において、出射側偏光板５３Ｇで遮光される光量の最大値Ｌ’が、出射側偏光板５３Ｇの許容遮光光量ＰＧに等しくなるように設定される。従って、Ｂ点は、次の式により算出される。
【０１１４】
Ｌ’＝ＰＧ＝（ＬＧｍａｘ−ＬＧｍａｘ×Ｂ／２５５）＋（ＬＹｅｍａｘ−ＬＹｅｍａｘ×ｆＣ×Ｂ／２５５）
⇔Ｂ＝［（ＬＧｍａｘ＋ＬＹｅｍａｘ−ＰＧ）／（ＬＧｍａｘ＋ＬＹｅｍａｘ）］×２５５  
【０１１５】
以上のようにＡ点およびＢ点を設定することにより、出射側偏光板５３Ｇで遮光される光量の最大値Ｌ’が出射側偏光板５３Ｇの許容遮光光量ＰＧを超えないように、出射側偏光板５３Ｇに到達する黄成分光の光量が低減される。
【０１１６】
（４）作用・効果
本発明の第１実施形態に係る投写型映像表示装置１００によれば、制御部２００は、出射側偏光板５３Ｇに到達する黄成分光の光量、すなわち黄成分光の重畳量を、緑用入力信号Ｇｉｎと、複数の画素のそれぞれの位置に応じて定められる重付係数ｆＷとに基づいて制御する。具体的には、制御部２００は、出射側偏光板５３Ｇの熱負荷の分布を黄成分光の重畳量に反映させるための重付係数ｆＷを用いて、Ｙｅ制御信号ＹｅＣの値を算出する。重付係数ｆＷは、画素の位置が出射側偏光板５３Ｇの熱負荷が高い部分に対応する場合には小さく設定される。そのため、出射側偏光板５３Ｇのうち熱負荷が高い部分が広く、熱負荷が高い部分において遮光される光量が大きい場合には、重付係数ｆＷが小さく設定される画素の数が大きくなるため、Ｙｅ制御信号ＹｅＣの値が小さくなる。これにより、偏光状態調整素子５０Ｙｅにおける黄成分光の偏光方向の調整量が大きくなるため、入射側偏光板５２Ｇを透過して出射側偏光板５３Ｇに到達する黄成分光の光量が小さくなる。
【０１１７】
また、本発明の第１実施形態に係る投写型映像表示装置１００によれば、制御部２００は、出射側偏光板５３Ｇで遮光される光量の最大値Ｌ’が許容遮光光量ＰＧを超えないように、出射側偏光板５３Ｇに到達する黄成分光の光量、すなわち黄成分光の重畳量を制御する。具体的には、制御部２００は、出射側偏光板５３Ｇで遮光される緑成分光の光量と出射側偏光板５３Ｇで遮光される黄成分光の光量との合計量が出射側偏光板５３Ｇの許容遮光光量ＰＧを超えないように黄成分光の重畳量を制御するためのＹｅ重畳量制御係数ｆＣを用いて、Ｙｅ制御信号ＹｅＣの値を算出する。Ｙｅ重畳量制御係数ｆＣは、出射側偏光板５３Ｇで遮光される緑成分光の光量が大きい場合には小さく設定されるため、偏光状態調整素子５０Ｙｅにおける黄成分光の偏光状態の調整量を制御するＹｅ制御信号ＹｅＣの値が小さくなる。これにより、偏光状態調整素子５０Ｙｅにおける黄成分光の偏光方向の調整量が大きくなるため、入射側偏光板５２Ｇを透過して出射側偏光板５３Ｇに到達する黄成分光の光量が小さくなる。
【０１１８】
以上の構成によれば、黄成分光の全光量のうち、従来では出射側偏光板５３Ｇで遮光されていた光量の一部を入射側偏光板５２Ｇで遮光することできる。よって、黄成分光の全光量のうち遮光される光量が入射側偏光板５２Ｇと出射側偏光板５３Ｇとに分散されるため、出射側偏光板５３Ｇの熱負荷を軽減することができる。その結果、緑光変調素子５０Ｇの劣化を抑制することができる。
【０１１９】
また、本発明の第１実施形態に係る投写型映像表示装置１００によれば、制御部２００は、出射側偏光板５３Ｇで遮光される緑成分光の光量が大きい場合に、Ｙｅ重畳量制御係数ｆＣを小さく設定することにより、入射側偏光板５２Ｇで遮光される黄成分光の光量を大きくし、出射側偏光板５３Ｇに到達する黄成分光の光量を小さくする。すなわち、制御部２００は、出射側偏光板５３Ｇで遮光される緑成分光の光量が大きい場合に、黄成分光が入射側偏光板５２Ｇで遮光されるように黄成分光の偏光状態の調整量を制御する。このような構成によれば、出射側偏光板５３Ｇで遮光される緑成分光の光量が大きい場合に、出射側偏光板５３Ｇで遮光される黄成分光の光量を小さくすることができるため、出射側偏光板５３Ｇの熱負荷を軽減することができる。従って、緑光変調素子５０Ｇの劣化を抑制することができる。
【０１２０】
また、本発明の第１実施形態に係る投写型映像表示装置１００によれば、出射側偏光板５３Ｇで遮光される緑成分光の光量が小さい場合に、Ｙｅ重畳量制御係数ｆＣを大きく設定することにより、入射側偏光板５２Ｇで遮光される黄成分光の光量を小さくし、出射側偏光板５３Ｇに到達する黄成分光の光量を大きくする。このような構成によれば、緑光変調素子５０Ｇの劣化の抑制と、黄成分光の重畳による輝度の向上との両立を図ることができる。
【０１２１】
［第２実施形態］
次に、本発明の第２実施形態に係る投写型映像表示装置について、図面を参照しながら説明する。以下においては、上述した第１実施形態と第２実施形態との相違点について主として説明する。具体的には、上述した第１実施形態では、投写型映像表示装置１００は、モード選択信号Ｍに基づいて、Ｙｅ基準信号Ｙｅ１の値を決定する。これに対して、第２実施形態では、投写型映像表示装置１００は、映像の彩度および輝度に基づいて、Ｙｅ基準信号Ｙｅ１の値を決定する。
【０１２２】
（１）投写型映像表示装置の機能
以下において、第２実施形態に係る投写型映像表示装置の機能について、図面を参照しながら説明する。図８は、第２実施形態に係る投写型映像表示装置１００の機能を示すブロック図である。
【０１２３】
図８に示すように、投写型映像表示装置１００は、信号受付部３１０と、基準信号生成部３２０と、係数特定部３３０と、補正信号生成部３４０と、制御信号生成部３５０と、調整信号生成部３６０と、出力部３７０とを含む制御部３００を備える。なお、係数特定部３３０、補正信号生成部３４０、制御信号生成部３５０、調整信号生成部３６０、および出力部３７０については、上述した第１実施形態における係数特定部２３０、補正信号生成部２４０、制御信号生成部２５０、調整信号生成部２６０、および出力部２７０と同様であるため、説明を省略する。
【０１２４】
信号受付部３１０は、映像入力信号を受付ける。例えば、信号受付部３１０は、映像入力信号から色信号を分離する色分離ブロックから各色信号（赤用入力信号Ｒｉｎ、緑用入力信号Ｇｉｎおよび青用入力信号Ｂｉｎ）を取得する。信号受付部３１０は、赤用入力信号Ｒｉｎ、緑用入力信号Ｇｉｎおよび青用入力信号Ｂｉｎを、基準信号生成部３２０と、調整信号生成部３６０とに入力する。信号受付部３１０は、緑用入力信号Ｇｉｎを係数特定部３３０に入力する。
【０１２５】
基準信号生成部３２０は、赤用入力信号Ｒｉｎ、緑用入力信号Ｇｉｎおよび青用入力信号Ｂｉｎによって再現される映像の彩度および輝度に基づいて、Ｙｅ基準信号Ｙｅ１を生成する。
【０１２６】
基準信号生成部３２０は、緑用入力信号Ｇｉｎおよび青用入力信号Ｂｉｎによって再現される映像に含まれる画素ごとに、Ｙｅ基準信号Ｙｅ１を生成する。具体的には、基準信号生成部３２０は、赤用入力信号Ｒｉｎ、緑用入力信号Ｇｉｎおよび青用入力信号Ｂｉｎに基づいて、彩度および輝度を画素ごとに算出する。基準信号生成部３２０は、算出された彩度に対応する色再現係数ｆＳと、算出された輝度に対応する輝度係数ｆＬとを、画素ごとに特定する。色再現係数ｆＳおよび輝度係数ｆＬは、０〜１の範囲で設定される値である。色再現係数ｆＳおよび輝度係数ｆＬは、画素において表現される色相ごとに異なる方法によって特定される。色再現係数ｆＳの特定方法、および輝度係数ｆＬの特定方法については、後に詳述する。
【０１２７】
基準信号生成部３２０は、画素ごとに特定された色再現係数ｆＳの平均値である色再現平均係数ｆＳａｖｅと、画素ごとに特定された輝度係数ｆＬの平均値である輝度平均係数ｆＬａｖｅとを算出する。基準信号生成部３２０は、以下の式に示すように、Ｙｅ基準信号Ｙｅ１の取り得る最大値であるＹｅｍａｘに、色再現平均係数ｆＳａｖｅおよび輝度平均係数ｆＬａｖｅを乗算することにより、Ｙｅ基準信号Ｙｅ１の値を算出する。なお、Ｙｅ基準信号Ｙｅ１は、画素単位で生成される。
【０１２８】
Ｙｅ１＝Ｙｅｍａｘ×ｆＳａｖｅ×ｆＬａｖｅ
【０１２９】
以下において、色再現係数ｆＳの特定方法、および輝度係数ｆＬの特定方法について説明する。
【０１３０】
第１に、画素において表現される色相が［Ｒ０．７５＋Ｇ０．２５（オレンジ）］である場合について、図９および図１０を参照して説明する。
【０１３１】
図９は、彩度と色再現係数ｆＳとの関係を示す図である。図９に示すように、彩度が小さい場合には色再現係数ｆＳが大きく設定され、彩度が大きい場合には色再現係数ｆＳが小さく設定される。特に、彩度が所定値以上である場合には、彩度が大きいほど色再現係数ｆＳが小さく設定される。このように色再現係数ｆＳを設定することにより、彩度が小さい場合には黄成分光の重畳量の増大による高輝度化を図ることができ、彩度が大きい場合には黄成分光の重畳量の減少による高色再現性を図ることができる。
【０１３２】
図１０は、輝度と輝度係数ｆＬとの関係を示す図である。図１０に示すように、輝度が小さい場合には輝度係数ｆＬが小さく設定され、輝度が大きい場合には輝度係数ｆＬが大きく設定される。このように輝度係数ｆＬを設定することにより、輝度が高い場合に、更なる高輝度化を図ることができる。
【０１３３】
基準信号生成部３２０は、画素において表現される色相が［Ｒ０．７５＋Ｇ０．２５（オレンジ）］である場合には、図９を参照して色再現係数ｆＳを特定し、図１０を参照して輝度係数ｆＬを特定する。
【０１３４】
第２に、画素において表現される色相が［Ｇ０．５＋Ｂ０．５（シアン）］である場合について、図１１および図１２を参照して説明する。
【０１３５】
図１１は、彩度と色再現係数ｆＳとの関係を示す図である。図１１に示すように、彩度が小さい場合には色再現係数ｆＳが大きく設定され、彩度が大きい場合には色再現係数ｆＳが小さく設定される。特に、彩度が所定値以上である場合には、彩度が大きいほど色再現係数ｆＳが小さく設定される。
【０１３６】
図１２は、輝度と輝度係数ｆＬとの関係を示す図である。図１２に示すように、輝度が小さい場合には輝度係数ｆＬが小さく設定され、輝度が大きい場合には輝度係数ｆＬが大きく設定される。
【０１３７】
基準信号生成部３２０は、画素において表現される色相が［Ｇ０．５＋Ｂ０．５（シアン）］である場合には、図１１を参照して色再現係数ｆＳを特定し、図１２を参照して輝度係数ｆＬを特定する。
【０１３８】
（２）作用・効果
本発明の第２実施形態に係る投写型映像表示装置１００によれば、制御部３００は、赤用入力信号Ｒｉｎ、緑用入力信号Ｇｉｎおよび青用入力信号Ｂｉｎによって再現される映像の彩度および輝度に基づいて、Ｙｅ基準信号Ｙｅ１を生成する。具体的には、制御部３００は、彩度に対応する色再現係数ｆＳおよび輝度に対応する輝度係数ｆＬを用いてＹｅ基準信号Ｙｅ１を生成する。このような構成によれば、緑光変調素子５０Ｇの劣化の抑制に加え、高輝度化、および高輝度化と高色再現性とのバランスの最適化を図ることができる。
【０１３９】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【０１４０】
例えば、上述した第１実施形態および第２実施形態では、第４色成分光が黄成分光であるが、これに限定されるものではない。第４色成分光は、シアン成分光、マゼンタ成分光などであってもよい。具体的には、シアン成分光に重畳される重畳成分光は緑成分光又は青成分光であることが好ましい。マゼンタ成分光に重畳される重畳成分光は赤成分光又は青成分光であることが好ましい。
【０１４１】
また、上述した第１実施形態では、Ｙｅ制御信号ＹｅＣを生成するために、Ｙｅ補正信号平均値Ｙｅ２ａｖｅにＹｅ重畳量制御係数ｆＣを乗算する場合について説明したが、これに限定されるものではない。例えば、Ｙｅ補正信号平均値Ｙｅ２ａｖｅにはＹｅ重畳量制御係数ｆＣを乗算せず、Ｙｅ補正信号平均値Ｙｅ２ａｖｅそのものをＹｅ制御信号ＹｅＣの値として用いてもよい。
【０１４２】
また、上述した第１実施形態および第２実施形態では、図５および図６に示すように、重付係数ｆＷを段階的に変化させる場合について説明したが、これに限定されるものではなく、重付係数ｆＷを連続的に変化させてもよい。
【０１４３】
また、上述した第１実施形態および第２実施形態では、第４色成分光が単一の色成分光であるが、これに限定されるものではない。第４色成分光は複数の色成分光であってもよい。
【０１４４】
また、上述した第１実施形態および第２実施形態では、偏光状態調整素子は解像度を有していない偏光状態調整素子５０Ｙｅであることを前提としているが、これに限定されるものではない。具体的には、偏光状態調整素子は解像度を有し、自素子に入射した黄成分光の偏光状態を、画素ごとに調整する第４色用液晶パネルであってもよい。この場合には、第４色用液晶パネルの解像度は、電極などによる透過率の低下を防ぐために、液晶パネル５１Ｒ、液晶パネル５１Ｇおよび液晶パネル５１Ｂの解像度よりも低いことが好ましい。ただし、第４色用液晶パネルの解像度は、液晶パネル５１Ｒ、液晶パネル５１Ｇおよび液晶パネル５１Ｂの解像度と同等であってもよいことに留意すべきである。偏光状態調整素子として解像度を有する第４色用液晶パネルを用いる場合、複数の画素のそれぞれについて生成されたＹｅ補正信号Ｙｅ２の値の平均値であるＹｅ補正信号平均値Ｙｅ２ａｖｅを算出しなくてもよい。具体的には、複数の画素のそれぞれについて生成されたＹｅ補正信号Ｙｅ２のそれぞれに、Ｙｅ重畳量制御係数ｆＣを乗算した値をＹｅ制御信号ＹｅＣの値として用いることにより、Ｙｅ制御信号ＹｅＣを複数の画素のそれぞれについて生成してもよい。
【０１４５】
上述した第１実施形態および第２実施形態に係る偏光状態調整素子としては、ＯＣＢ（Ｏｐｔｉｃａｌ  Ｃｏｍｐｅｎｓａｔｅｄ  Ｂｅｎｄ）液晶を用いることができる。また、偏光状態調整素子として、ＶＡ（Ｖｉｒｔｉｃａｌ  Ａｌｉｇｎｍｅｎｔ）液晶やＴＮ（Ｔｗｉｓｔｅｄ  Ｎｅｍａｔｉｃ）液晶を用いてもよい。
【０１４６】
また、上述した第１実施形態および第２実施形態では、偏光状態調整素子５０Ｙｅにおける黄成分光の偏光状態の調整量を制御することによって、出射側偏光板５３Ｇに到達する黄成分光の光量を制御する場合について説明したが、これに限定されるものではない。例えば、黄成分光の光源として黄色ＬＥＤを設けられる場合には、緑用入力信号Ｇｉｎの大きさに応じて黄色ＬＥＤが発する光の光量を調節することによって、出射側偏光板５３Ｇに到達する黄成分光の光量を制御してもよい。
【０１４７】
また、上述した第２実施形態では、Ｙｅ基準信号Ｙｅ１を生成するために、Ｙｅ基準信号Ｙｅ１の取り得る最大値に、色再現平均係数ｆＳａｖｅおよび輝度平均係数ｆＬａｖｅを乗算する場合について説明したが、これに限定されるものではない。例えば、Ｙｅ基準信号Ｙｅ１の取り得る最大値には、色再現平均係数ｆＳａｖｅまたは輝度平均係数ｆＬａｖｅのいずれか一方のみが乗算されてもよい。
【０１４８】
また、上述した第１実施形態および第２実施形態では、投写型映像表示装置として液晶パネルを用いた液晶プロジェクタを用いる場合について説明したが、これに限定されるものではない。例えば、本発明は、ＤＭＤ（Ｄｉｇｉｔａｌ  Ｍｉｃｒｏｍｉｒｒｏｒ  Ｄｅｖｉｃｅ）を用いたＤＬＰプロジェクタにも適用することができる。
【０１４９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１５０】
【図１】第１実施形態に係る投写型映像表示装置１００の構成を示す図である。
【図２】第１実施形態に係る偏光状態調整素子５０Ｙｅ近傍の拡大図である。
【図３】第１実施形態に係る偏光状態調整素子５０Ｙｅ近傍の拡大図である。
【図４】第１実施形態に係る投写型映像表示装置１００の機能を示す図である。
【図５】第１実施形態に係る画素の位置と重付係数ｆＷとの関係を示す図である（その１）。
【図６】第１実施形態に係る画素の位置と重付係数ｆＷとの関係を示す図である（その２）。
【図７】第１実施形態に係るＧ信号重付平均値Ｇｗａｖｅと黄成分光重畳量制御係数ｆＣとの関係を示す図である。
【図８】第２実施形態に係る投写型映像表示装置１００の機能を示す図である。
【図９】第２実施形態に係る彩度と色再現係数ｆＳとの関係を示す図である（その１）。
【図１０】第２実施形態に係る輝度と輝度係数ｆＬとの関係を示す図である（その１）。
【図１１】第２実施形態に係る彩度と色再現係数ｆＳとの関係を示す図である（その２）。
【図１２】第２実施形態に係る輝度と輝度係数ｆＬとの関係を示す図である（その２）。
【符号の説明】
【０１５１】
１０…光源、２０…ＵＶ／ＩＲカットフィルタ、３０…フライアイレンズユニット、４０…ＰＢＳアレイ、５０…光変調素子、５１…液晶パネル、５２…入射側偏光板、５３…出射側偏光板、５０Ｙｅ…偏光状態調整素子、６０…クロスダイクロイックキューブ、７１〜７６…ミラー、８１〜８５…レンズ、１００…投写型映像表示装置、１１０…投写レンズユニット、１２０…照明ユニット、２００…制御部、２１０…信号受付部、２２０…基準信号生成部、２３０…係数特定部、２３１…重付係数特定部、２３２…重畳量制御係数特定部、２４０…補正信号生成部、２５０…制御信号生成部、２６０…調整信号生成部、２７０…出力部、３００…制御部、３１０…信号受付部、３２０…基準信号生成部、３３０…係数特定部、３３１…重付係数特定部、３３２…重畳量制御係数特定部、３４０…補正信号生成部、３５０…制御信号生成部、３６０…調整信号生成部、３７０…出力部．
【図１】
2010107599.tif 000003
【図２】
2010107599.tif 000004
【図３】
2010107599.tif 000005
【図４】
2010107599.tif 000006
【図５】
2010107599.tif 000007
【図６】
2010107599.tif 000008
【図７】
2010107599.tif 000009
【図８】
2010107599.tif 000010
【図９】
2010107599.tif 000011
【図１０】
2010107599.tif 000012
【図１１】
2010107599.tif 000013
【図１２】
2010107599.tif 000014